(57)【要約】      （修正有）【課題】テニスラケット等を収納するバッグにおいて、雨天時の使用に際し容易に防水状態とすることができ、該防水状態においても内容物の出し入れが容易でデザイン性も損なわない全天候型のラケットバッグを提供する。【解決手段】ラケットを少なくとも１本以上収納可能なラケットバッグ１において、バッグ本体の一部に雨具収納部３を設け、該雨具収納部には取り外し可能な雨具８を収納し、該雨具は前記バッグ本体を被覆するのに適した形状及び大きさに形成し、該雨具には１以上の開口部９，１０を配設し、該雨具を用いて前記バッグ本体を被覆した状態としたときに、該雨具に設けた一部または全部の開口部が前記バッグ本体に設けられている一部または全部の開口部と略同一位置となるように配設した。また、前記バッグ本体の底面部に、折畳み式の足部を備えている構成とすることもできる。【選択図】図１
0003155880.tif 000002
【実用新案登録請求の範囲】
【請求項１】
ラケットを少なくとも１本以上収納可能なラケットバッグにおいて、
バッグ本体の一部に雨具収納部が設けられており、
該雨具収納部には取り外し可能な雨具が収納され、
該雨具は前記バッグ本体を被覆するのに適した形状及び大きさに形成され、
該雨具には１以上の開口部が配設され、
該雨具を用いて前記バッグ本体を被覆した状態としたときに、該雨具に設けた一部または全部の開口部が、前記バッグ本体に設けられている一部または全部の開口部と略同一位置となるように配設されていることを特徴とする雨具付きラケットバッグ。
【請求項２】
前記バッグ本体の底面部に、折畳み式の足部を備えていること特徴とする請求項１に記載の雨具付きラケットバッグ
【考案の詳細な説明】
【技術分野】
【０００１】
本考案は、テニスラケット等を収納するバッグに関し、特に雨天時の使用に際して容易に防水状態とすることができ、該防水状態においても内容物の出し入れが容易でデザイン性も損なわない全天候型のラケットバッグに関する。
【背景技術】
【０００２】
テニスは、健康の維持増進を目的とした生涯スポーツとして老若男女を問わない人気の高い球技であり、初心者からプロまで幅広く大会が企画運営されている。また、数あるスポーツの中でもウエアや用具に高いファッション性が求められるという特徴もある。ここで、近年のラケットバッグについてみると、ラケットを複数本収納するだけではなく、着替えやタオル、或いはテニスシューズ等も収容でき、数日の遠征試合等であればこれ一つでまにあうように大型化されてきた。バッグ内は収容物を区別できるように複数に仕切られていたり、外部及び内部にも多くのポケットが設けられるなど、機能性や使い勝手の良いラケットバッグが各スポーツメーカーから提供されている。
【０００３】
テニスの選手たちは、必要な全ての荷物をこのラケットバッグに収納して大会等に参加し、試合中はこのラケットバッグをコートサイドまで持ち込んでいる。しかし、テニス競技は一部のインドアコートを除き屋外で行われるものであるため、雨天時には収納物まで濡れてしまうこともある。一般的に雨量の多い日はテニスの試合等は行われないが、競技中に雨が降り出した場合には直ちに中止になることは少なく、特に砂入り人工芝のコートでは相当の雨量であってもプレーが続行される場合が多い。このような場合、選手達はラケットバッグをコートサイドのベンチ下に置いたり、傘を広げてその下に置いたり、バッグの中からビニールシートを取り出して包んだりして対応している。しかし、ベンチがない場合や風が強く傘を広げておけない場合、或いはビニール等を用意していない場合は雨に濡れたままで試合を続行しているというのが現状である。さらに、地面に直接置くとバッグ底面から透水することもある。
【０００４】
テニスの公式な競技中は、原則として奇数ゲーム終了後の数十秒しか休憩時間が認められないため、雨対策を講じる時間を少なくし、雨対策施行後に替えのラケットやタオルの取り出し等の容易さも確保しておきながら、デザイン性も損なわないラケットバッグの提供が望まれている。
【０００５】
このような問題を解決すべく、従来からもバッグ本体内に雨具を備えたラケットバッグがある（特許文献１参照）。これは、バッグ本体の表面に開閉可能な雨具収納部を設けるとともに、雨具収納部に雨具を有するものである。これはバッグ自体を覆うこと又は使用者の雨具として兼用するものであり、移動中などで防水機能を発揮するものである。しかし、係る技術では試合中のコートチェンジ時における僅かな時間内に、タオル等の出し入れやラケットを交換する場合など、いちいち雨具をバッグ本体からまくらなければならず煩雑であるという問題が残されていた。
【０００６】
【特許文献１】実用新案登録第３０６８１６９号公報
【考案の概要】
【考案が解決しようとする課題】
【０００７】
本考案は、上記問題点に鑑み、テニスラケット等を収納するバッグにおいて、雨天時の使用に際し容易に防水状態とすることができ、該防水状態においても内容物の出し入れが容易でデザイン性も損なわない全天候型のラケットバッグを提供するものである。
【課題を解決するための手段】
【０００８】
請求項１に係る考案は、ラケットを少なくとも１本以上収納可能なラケットバッグにおいて、バッグ本体の一部に雨具収納部が設けられており、該雨具収納部には取り外し可能な雨具が収納され、該雨具は前記バッグ本体を被覆するのに適した形状及び大きさに形成され、該雨具には１以上の開口部が配設され、該雨具を用いて前記バッグ本体を被覆した状態としたときに、該雨具に設けた一部または全部の開口部が、前記バッグ本体に設けられている一部または全部の開口部と略同一位置となるように配設されている構成とした。
【０００９】
請求項２に係る考案は、前記バッグ本体の底部に、折畳み式の足部を備えている構成とした。
【考案の効果】
【００１０】
本考案に係る雨具付ラケットバッグによれば突然の降雨があった場合でも迅速に雨具を取りだして防水状態にすることができるという優れた効果を奏する。
【００１１】
また、本考案に係る雨具付ラケットバッグによれば、防水状態とした後においても内容物の出し入れが出来るといった優れた効果を奏する。
【００１２】
さらに、本考案に係る雨具付ラケットバッグによれば、防水状態においてもデザイン性を損なわないという優れた効果を奏する。
【００１３】
またさらに、請求項２に記載の本考案に係る雨具付ラケットバッグによれば、地面からの透水により荷物を濡らしてしまいことがないという優れた効果を奏する。
【考案を実施するための形態】
【００１４】
本考案に係る雨具付ラケットバッグ１、雨具７とバッグ本体２の形状を略同一とし、雨具８でバッグ本体２を覆った状態において、バッグ本体２に設けられた開口部４・５と雨具８に設けられた開口部９・１０の位置とが略同一に重なるように形成したことを最大の特徴とする。以下、考案を実施するための形態を図面に基づいて説明する。
【００１５】
図１は本考案に係る雨具付ラケットバッグ１の実施形態を説明する全体斜視図である。図１（ａ）は雨具８がバッグ本体２内に収納されている状態を示し、図１（ｂ）は雨具８をバッグ本体２の雨具収納部３から取り出した状態を示している。
【００１６】
バッグ本体２は、市販されている一般的なラケットバッグの形状及び大きさと同様であり、その形状及び大きさについては特に限定されるものではない。バッグ本体２にはラケットの出し入れ用の開口部４や小物入れ用の開口部５など荷物の収容に便利な開口部が設けられており、係る開口部４・５はファスナーやマジックテープ（登録商標）等によってある程度の防水性を確保しつつ開閉可能としている。また、バッグを肩にかけるためのショルダーベルト６や、取手７等も設けられる。
【００１７】
バッグ本体２の端部や底部等の目立たない所には雨具収納部３が設けられており、該雨具収納部３には防水性の高い素材のポケットが内設され、該ポケット内に雨具８が収納されている。該雨具８はファスナーやボタン、若しくはマジックテープ（登録商標）等により取り外し可能とすることが望ましい。このような構成にすれば雨天使用後は雨具８のみを取り外して乾燥することができる。
【００１８】
雨具８は折りたたんで収納するため、防水性の高い薄手のビニール素材等が望ましいが、特に限定されるものではなく、透水しない素材であればよい。また、雨具８はバッグ本体２を被覆するのに適した形状及び大きさに形成され、ラケットの出し入れ用の開口部９や小物入れ用の開口部１０など荷物の出し入れに便利な開口部が設けられており、係る開口部９・１０はファスナーやマジックテープ（登録商標）等によって開閉可能としている。また、バッグを肩にかけるためのショルダーベルト６を取り付けるためのショルダーベルト用開口部１１や取手用開口部１２も設けられる。なお、これらの開口部にファスナーを用いる場合には、マジックテープ（登録商標）を縫着等した舌片等で該ファスナーからの雨水の浸透を防ぐ構成とすることが望ましい。さらに、雨具８には着脱用開口部１３が設けられ、該開口部の縁部にはゴム等の伸縮性を有する素材や紐体を連通し、開口部１３の開校面積を小さくする構成となっている。
【００１９】
図２は、本考案に係る雨具８をバッグ本体２に被覆した状態を示す全体斜視図である。雨天時には、まずバッグ本体２に取りつけられているショルダーベルト６を取り外し、雨具収納部３に収納されている雨具８を引き出して、着脱用開口部１３からバッグ本体を被覆する。被覆後はショルダーベルト６を取り付ける。これで、雨具８でバッグ本体２を被覆した後でも、雨具８の開口部９・１０とバッグ本体２の開口部４・５とが、それぞれ略同一位置に重なるので、雨具８の開口部９・１０のファスナー等を開き、更にバッグ本体２の開口部４・５のファスナー等を開くことで収納物の出し入れが可能となる。
【００２０】
図３は、足部１４を設けた場合の実施形態を説明する全体斜視図である。バッグ本体２の底面に剛性の高い樹脂等の底面部１５を設け、普段は足部１４を折り畳んで収納し、雨天時には該足部１４を引き出してバッグ本体２の底面が地面に直接触れないようにする。図面では板状態の２枚のプレート構造の足部１４としたが、四隅に棒状態の構成としてもよい。なお、バッグ内に収納された荷物が極めて重い場合でも底面部１５がたわんでしまわないように比強度の高いアルミやチタン等の合金によるフレーム構造とすることも有効である。
【図面の簡単な説明】
【００２１】
【図１】本考案に係る雨具付ラケットバッグの実施形態を説明する全体斜視図である。
【図２】本考案に係る雨具をバッグ本体に覆装した状態を示す全体斜視図である。
【図３】本考案に係るバッグ本体に足部を設けた場合の実施形態を説明する全体斜視図である。
【符号の説明】
【００２２】
１  雨具付ラケットバッグ
２  バッグ本体
３  雨具収納部
４  バッグ本体開口部
５  バッグ本体開口部
６  ショルダーベルト
７  取手
８  雨具
９  雨具開口部
１０  雨具開口部
１１  ショルダーベルト用開口部
１２  取手用開口部
１３  着脱用開口部
１４  足部
１５  底面部
【図１】
0003155880.tif 000003
【図２】
0003155880.tif 000004
【図３】
0003155880.tif 000005